(57)【要約】【課題】簡単な構造により、魚の口の奥深くに刺さって見えない釣針の針先の向きを変え、釣針の引き出し時に別の部位に刺さらないように意識することなく取り出すことが可能な釣針外し具の提供。【解決手段】中空パイプ２と、この中空パイプ２の内部先端から進退可能な釣針外し部材３とを備え、釣針外し部材３は、先端部に釣針Ｆが通る径で形成された釣針通し穴３ｄと、ハリスＨを通すことが可能な幅で形成された釣針通し穴３ｄに通じる切り欠き３ｅとを備え、中空パイプ２は、釣針外し部材３の収容時に少なくとも釣針通し穴３ｄの一部を収容する。切り欠き３ｅを通じて釣針Ｆを釣針通し穴３ｄに通し、中空パイプ２内に釣針外し部材３を一部収容した状態で釣針外し具１を魚の口の中から引き出すと、釣針Ｆの針先Ｆ4が釣針外し具１の引き出し方向と反対方向を向くため、釣針Ｆが魚の口の中の別の部位に刺さることがない。【選択図】  図４
2005185185.tif 000002
【特許請求の範囲】
【請求項１】
中空パイプと、この中空パイプの内部先端から進退可能な釣針外し部材とを備え、
前記釣針外し部材は、先端部に釣針が通る径で形成された釣針通し穴と、ハリスを通すことが可能な幅で形成された前記釣針通し穴に通じる切り欠きとを備え、
前記中空パイプは、前記釣針外し部材の収容時に少なくとも前記釣針通し穴の一部を収容するものである釣針外し具。
【請求項２】
前記釣針通し穴は、前記中空パイプの軸方向に対して傾斜させた面に形成されたものである請求項１記載の釣針外し具。
【発明の詳細な説明】
【技術分野】
【０００１】
本発明は、魚が飲み込んだ釣針を外すための釣針外し具に関する。
【背景技術】
【０００２】
魚に飲み込まれた釣針を外すのは大変な作業である。そのため、魚に飲み込まれた釣針を外す場合、例えば、特許文献１に記載のような道具を使用して、魚の口の奥深くに突き刺さった釣針を外している。ところが、このような道具を用いた場合、魚の口の奥深くに突き刺さった釣針を外しても、それを引き出す際に別の部位に刺さってしまうので、釣針を取り出しにくいという問題がある。
【０００３】
そこで、特許文献２において、魚の口の奥深くに刺さって見えない釣針の針先の向きを変え、釣針の引き出し時に別の部位に刺さらないように意識して取り出すことが可能な釣針外し具が提案されている。また、特許文献３には、２本のポールの先端に、糸通し用溝と、針通し用穴とを装着した回転針外し装置を備えた釣針外し具が開示されている。この釣針外し具では、第２ポールをスライドさせることにより、先端の回転針外し装置を回転させ、簡単に魚から釣針を外すことができる。
【０００４】
【特許文献１】特開平８−１７２９９６号公報（第２頁第１欄、図８）
【特許文献２】特許第３４４７２４５号公報
【特許文献３】特開平９−１３４号公報
【発明の開示】
【発明が解決しようとする課題】
【０００５】
ところが、特許文献２，３に記載の釣針外し具では、釣針外し具の先端が非常に複雑な構造となっているため、製造コストが高くなってしまうという問題がある。特に、特許文献３に記載の釣針外し具では、先端の回転針外し装置がリンク機構を有しているため、非常に構造が複雑であり、このリンク機構が繰り返しの使用に耐えられるよう充分な強度を持たせる必要がある。
【０００６】
そこで、本発明においては、簡単な構造により、魚の口の奥深くに刺さって見えない釣針の針先の向きを変え、釣針の引き出し時に別の部位に刺さらないように意識することなく取り出すことが可能な釣針外し具を提供することを目的とする。
【課題を解決するための手段】
【０００７】
本発明の釣針外し具は、中空パイプと、この中空パイプの内部先端から進退可能な釣針外し部材とを備え、釣針外し部材は、先端部に釣針が通る径で形成された釣針通し穴と、ハリスを通すことが可能な幅で形成された釣針通し穴に通じる切り欠きとを備え、中空パイプは、釣針外し部材の収容時に少なくとも釣針通し穴の一部を収容するものであることを特徴とする。
【０００８】
本発明の釣針外し具によれば、中空パイプの内部先端から釣針外し部材を進めて突出させた状態で、釣針通し穴に通じる切り欠きにハリスを通し、魚の口に挿入していくことで、ハリスの先の釣針の腰曲がりから先曲がりの間の突端部分を釣針通し穴に通すことができる。さらに、そのまま釣針外し具を押し進めると、この釣針の突端部分が釣針通し穴の内壁により押され、魚の口の中に刺さっている釣針が外れる。
【０００９】
そして、釣針外し部材を退かせて中空パイプ内に少なくとも釣針通し穴の一部を収容すると、釣針が中空パイプの先端と釣針通し穴の内壁とに挟まれて、釣針通し穴の中で釣針の突端部分を軸として釣針が回転し、針先の向きを釣針外し具の引き出し方向と反対方向に変える。この状態で、釣針外し具を魚の口の中から引き出すことにより、釣針が魚の口の中の別の部位に刺さることなく釣針を取り出すことができる。
【００１０】
釣針通し穴は、中空パイプの軸方向に対して傾斜させた面に形成されたものであることが望ましい。釣針通し穴が、中空パイプの軸方向に対して平行な面に形成されたものである場合には、ハリスを伝って釣針を釣針通し穴に通す際、釣針が釣針通し穴内に入るように中空パイプを傾斜させなければならない。一方、釣針通し穴が、中空パイプの軸方向に対して傾斜させた面に形成されたものである場合には、初めから釣針通し穴が傾斜しているため、釣針が釣針通し穴内に入りやすくなる。
【発明の効果】
【００１１】
（１）中空パイプと、この中空パイプの内部先端から進退可能な釣針外し部材とを備え、釣針外し部材は、先端部に釣針が通る径で形成された釣針通し穴と、ハリスを通すことが可能な幅で形成された釣針通し穴に通じる切り欠きとを備え、中空パイプは、釣針外し部材の収容時に少なくとも釣針通し穴の一部を収容するものである釣針外し具により、魚の口の奥深くに刺さって見えない釣針の針先の向きを釣針外し具の引き出し方向と反対方向に変え、釣針の引き出し時に別の部位に刺さらないように意識することなく取り出すことが可能となる。このような釣針通し具は、先端にリンク機構等の複雑な構造を有する必要がないため、簡単な構造となり、製造コストの低い釣針外し具となる。
【００１２】
（２）釣針通し穴が、中空パイプの軸方向に対して傾斜させた面に形成されたものであることにより、ハリスを伝って釣針を釣針通し穴に通す際、初めから釣針通し穴が傾斜しているため、釣針が釣針通し穴内に入りやすくなり、容易に釣針を取り外すことが可能となる。
【発明を実施するための最良の形態】
【００１３】
図１は本発明の実施の形態における釣針外し具の一部を切り欠いた側面図、図２は図１の釣針外し部の拡大側面図、図３は図２の上面図である。
【００１４】
図１に示すように、本発明の実施の形態における釣針外し具１は、中空パイプ２と、中空パイプ２を貫通させて設けた釣針外し部材３と、釣針外し部材３の基端を支持するピストル型の握り柄４と、ピストル型の握り柄４の引き金の位置に配置された引き部５と、握り柄４内部で引き部５を前方へ押圧する弾性部材としてのバネ６とにより構成される。
【００１５】
中空パイプ２は、握り柄４内で引き部５に固定されており、引き部５を図の矢印Ａで示す方向（中空パイプ２の軸方向）に引くことで、中空パイプ２が後方へ移動し、この中空パイプ２の内部先端から釣針外し部材３が進み出る。一方、この引き部５を引く力を開放すると、バネ６の復元作用により引き部５とともに中空パイプ２が前方へ移動し、この中空パイプ２の先端から釣針外し部材３が退き、中空パイプ２の内部へ全部収容される。
【００１６】
図２および図３に示すように、釣針外し部材３は、断面円状の軸部３ａと、先端部３ｃが折り曲げられた細長い平板状のヘラ部３ｂとから構成される。ヘラ部３ｂの先端部３ｃは、軸部３ａの軸方向、すなわち中空パイプ２の軸方向に対して３０度程度傾斜している。この傾斜角は適宜変更可能である。また、先端部３ｃは、魚の口の中に挿入し易いように先細り形状としている。
【００１７】
ヘラ部３ｂの先端部３ｃには、釣針が通る径で形成された釣針通し穴３ｄが形成されている。また、ヘラ部３ｂには、ハリスを通すことが可能な幅で形成された釣針通し穴３ｄに通じる切り欠き３ｅが形成されている。
【００１８】
本実施形態においては、切り欠き３ｅは、ヘラ部３ｂの後方へ向かって開かれており、中空パイプ２がバネ６により前方へ押圧されたときに中空パイプ２内に収容される位置にある。また、中空パイプ２が最も前方へ押圧されたとき、釣針通し穴３ｄを含めて釣針外し部材３は全て中空パイプ２内に収容される。
【００１９】
上記構成の釣針外し具の使用方法について、以下に説明する。図４の（ａ）〜（ｅ）は本実施形態における釣針外し具１の使用手順を示す説明図である。
【００２０】
まず、引き部５を引いて中空パイプ２を後方へ移動させ、中空パイプの内部先端から釣針外し部材３を進めて突出させた状態とする。そして、図４（ａ）に示すように、切り欠き３ｅを通じて釣針通し穴３ｄに、魚（図示せず。）が飲み込んだ釣針Ｆに結ばれたハリスＨを通し、図４（ｂ）に示すように釣針外し具１（中空パイプ２および釣針外し部材３）を魚の口の中に挿入していく。
【００２１】
このとき、本実施形態における釣針外し具１では、釣針通し穴３ｄが、中空パイプ２の軸方向に対して傾斜させた先端部３ｃの面に形成されたものであることにより、ハリスＨを伝って釣針Ｆを釣針通し穴３ｄに通す際、釣針Ｆを釣針通し穴３ｄ内に入れやすい。
【００２２】
これにより、図４（ｃ）に示すように、ハリスＨの先の釣針Ｆの腰曲がりＦ1から先曲がりＦ2の間の突端部分Ｆ3が釣針通し穴３ｄに通ることになる。さらに、そのまま釣針外し具１を押し進めると、この釣針Ｆの突端部分Ｆ3が釣針通し穴３ｄの内壁により押され、魚の口の中に刺さっている釣針Ｆを魚の口から外すことができる。
【００２３】
そして、引き部５を開放するとバネ６の復元力によって、図４（ｄ）に示すように、中空パイプ２が前方へ移動し、中空パイプ２内に釣針通し穴３ｄの一部が収容され、中空パイプ２の先端と釣針通し穴３ｄの内壁との間で釣針Ｆの突端部分Ｆ3が狭持される。このとき、湾曲している釣針Ｆの突端部分Ｆ3の一部が中空パイプ２の内部に入り込み、中空パイプ２の先端との間に挟み込まれることにより、図４（ｅ）の拡大図に示すように、釣針Ｆは突端部分Ｆ3を軸として回転する。これにより、針先Ｆ4の向きが釣針外し具１の引き出し方向と反対方向に変わる。この状態で魚の口の中から釣針外し具１を引くと、釣針通し穴３ｄの中で狭持された釣針Ｆの突端部分Ｆ3を軸として釣針Ｆが回転し、図４（ｅ）に示すように針先Ｆ4の向きが釣針外し具１の引き出し方向と反対方向に変わる。
【００２４】
この状態で、釣針外し具１を魚の口の中から引き出すと、釣針Ｆの針先Ｆ4が釣針外し具１の引き出し方向と反対方向を向いているため、釣針Ｆが魚の口の中の別の部位に刺さることがない。また、引き部５を開放したときのバネ６の復元力だけでは釣針Ｆの針先Ｆ4の向きが完全に釣針外し具１の引き出し方向と反対方向に変わっていない場合であっても、釣針外し具１を引き出すときの力によって針先Ｆ4の向きが釣針外し具１の引き出し方向と完全に反対方向に変わるため、釣針Ｆが魚の口の中の別の部位に刺さることがない。したがって、釣針の引き出し時に別の部位に刺さらないように意識することなく、容易に釣針Ｆを魚の口の奥深くから取り出すことができる。
【００２５】
また、本実施形態においては、ヘラ部３ｂを細長い平板状としていることから、このヘラ部ｂの先端部３ｃの釣針通し穴３ｄの内壁と釣針Ｆとの接触面積が小さい。そのため、中空パイプ２の内部に釣針通し穴３ｄの一部が収容される際、釣針通し穴３ｄ内で釣針Ｆが回転し易く、より容易に釣針Ｆの針先Ｆ4の向きを変えて釣針Ｆを取り出すことができる。
【産業上の利用可能性】
【００２６】
本発明の釣針外し具は、魚が飲み込んだ釣針を外すための道具として有用であり、特に、魚の口の奥深くに刺さって見えない釣針を別の部位に刺さらないように意識することなく取り出すことが可能な道具として好適である。
【図面の簡単な説明】
【００２７】
【図１】本発明の実施の形態における釣針外し具の一部を切り欠いた側面図である。
【図２】図１の釣針外し部の拡大側面図である。
【図３】図２の上面図である。
【図４】本実施形態における釣針外し具の使用手順を示す説明図である。
【符号の説明】
【００２８】
１  釣針外し具
２  中空パイプ
３  釣針外し部材
３ａ  軸部
３ｂ  ヘラ部
３ｃ  先端部
３ｄ  釣針通し穴
３ｅ  切り欠き
４  握り柄
５  引き部
６  バネ
【図１】
2005185185.tif 000003
【図２】
2005185185.tif 000004
【図３】
2005185185.tif 000005
【図４】
2005185185.tif 000006